(57)【要約】【課題】フィルタ部材を良好に清掃すること。【解決手段】ケース本体１に構成された商品収容域２の底部近傍に、最も後方となる収納位置と最も前方となる補充位置との間で前後方向に沿ってスライド可能に設けられ、収納位置に配置される場合に、前端部に形成された通風孔部２４ａがケース本体１の内部において商品収容域２と区画された通風路３の入口となる吸込口５に連通するデッキ２０と、吸込口５を被覆する態様で設置され、収納位置に配置されるデッキ２０の通風孔部２４ａを通じて吸込口５に吸い込まれる空気に含まれる塵埃物を除去するフィルタ部材１０とを備えたショーケースであって、デッキ２０に上下方向に沿って移動可能に配設され、デッキ２０が収納位置から補充位置にスライドする場合に、フィルタ部材１０の表面に摺接するブラシ部材４０を備えている。【選択図】図３
2020124403.tif 000002
【特許請求の範囲】
【請求項１】
ケース本体に構成された商品収容域の底部近傍に、最も後方となる収納位置と最も前方となる補充位置との間で前後方向に沿ってスライド可能に設けられ、かつ前記収納位置に配置される場合に、前端部に形成された通風孔部が前記ケース本体の内部において前記商品収容域と区画された通風路の入口となる吸込口に連通するデッキと、
前記吸込口を被覆する態様で設置され、前記収納位置に配置される前記デッキの前記通風孔部を通じて該吸込口に吸い込まれる空気に含まれる塵埃物を除去するフィルタ部材と
を備えたショーケースであって、
前記デッキに上下方向に沿って移動可能に配設され、前記デッキが前記収納位置から前記補充位置にスライドする場合に、前記フィルタ部材の表面に摺接するブラシ部材を備えたことを特徴とするショーケース。
【請求項２】
前記ブラシ部材は、ブラシ取付部材に取り付けられており、該ブラシ取付部材が前記デッキに上下方向に沿って移動可能に支持されていることを特徴とする請求項１に記載のショーケース。
【請求項３】
前記ブラシ取付部材は、自身に設けられた段付きネジが前記デッキに形成された長孔を相対的に変位可能に挿通することにより該デッキに上下方向に沿って移動可能に支持されていることを特徴とする請求項２に記載のショーケース。
【請求項４】
前記デッキは、前記ブラシ部材が前記段付きネジの中心軸回りに後方に向けて回動することを規制する規制部材を備えたことを特徴とする請求項３に記載のショーケース。
【請求項５】
前記ブラシ部材は、前記デッキが前記収納位置に配置される場合、前記フィルタ部材の後端部分に接していることを特徴とする請求項１〜４のいずれか１つに記載のショーケース。
【発明の詳細な説明】
【技術分野】
【０００１】
本発明は、ショーケースに関するものである。
【背景技術】
【０００２】
従来、前面に開口を有したケース本体の収納室に商品載置棚が複数段設けられ、各商品載置棚に商品が載置されて陳列されたオープンショーケースと称されるショーケースが知られている。
【０００３】
このようなショーケースでは、ケース本体の内部であって収納室の外部となる個所に、収納室の内部空気が通過する通風路が形成されている。通風路は、入口となる吸込口が収納室の下部に形成されるとともに、出口となる吹出口が収納室の上部に形成されており、その途中には蒸発器が配設されている。この通風路を通過する空気は、蒸発器で冷却され、その後に吹出口より吹き出される。吹出口から吹き出された空気が吸込口に吸い込まれて循環することにより、収納室におけるケース本体の前面開口近傍に冷気のエアカーテンが形成され、商品載置棚に陳列された商品が所望の温度に冷却される。
【０００４】
上記ショーケースにおいては、収納室の底部近傍にデッキが設けられており、デッキの上面にも商品載置棚と同様に商品が載置されて陳列されている。このデッキは、最も後方となる収納位置と最も前方となる補充位置との間で前後方向に沿ってスライド可能に設けられており、収納位置に配置される場合に、前端部に形成された通風孔部が吸込口に連通している。そのようなデッキにおいても、上面に陳列された商品が上記冷気のエアカーテンにより所望の温度に冷却される。
【０００５】
ところで、上記ショーケースでは、吸込口を被覆する態様でフィルタ部材が設置されている。フィルタ部材は、吸込口に吸い込まれる空気に含まれる塵埃物を除去するためのものである。
【０００６】
そして、上記ショーケースでは、上記デッキにブラシ部材が設けられており、前記デッキが収納位置から補充位置までスライドする場合に、ブラシ部材がフィルタ部材の表面を摺接して該フィルタ部材に付着した塵埃物を除去するようにしている（例えば、特許文献１参照）。
【先行技術文献】
【特許文献】
【０００７】
【特許文献１】特開２０１８−１１４２０８号公報
【発明の概要】
【発明が解決しようとする課題】
【０００８】
ところで、上記ショーケースにおいては、デッキが収納位置から補充位置までスライドする場合に、ブラシ部材がフィルタ部材の表面を摺接するので、ブラシ部材は、フィルタ部材への押し付け力等が考慮されてデッキに配設されている。つまり、上記ショーケースでは、フィルタ部材への押し付け力が良好に作用する個所にブラシ部材を配設させる必要があり、寸法公差が極めて小さく、高い組立精度が要求されている。
【０００９】
しかしながら、ブラシ部材は、使用頻度に応じて徐々に変形していくものであり、デッキも載置される商品の総重量に応じてその姿勢が変形して高さレベルが変位するものである。
【００１０】
そのため、ブラシ部材を高い組立精度でデッキに配設したとしても、フィルタ部材に対する押し付け力が安定せず、該フィルタ部材に付着した塵埃物の除去が不十分なものとなって、該フィルタ部材を良好に清掃することができない虞れがあった。
【００１１】
本発明は、上記実情に鑑みて、フィルタ部材を良好に清掃することができるショーケースを提供することを目的とする。
【課題を解決するための手段】
【００１２】
上記目的を達成するため、本発明に係るショーケースは、ケース本体に構成された商品収容域の底部近傍に、最も後方となる収納位置と最も前方となる補充位置との間で前後方向に沿ってスライド可能に設けられ、かつ前記収納位置に配置される場合に、前端部に形成された通風孔部が前記ケース本体の内部において前記商品収容域と区画された通風路の入口となる吸込口に連通するデッキと、前記吸込口を被覆する態様で設置され、前記収納位置に配置される前記デッキの前記通風孔部を通じて該吸込口に吸い込まれる空気に含まれる塵埃物を除去するフィルタ部材とを備えたショーケースであって、前記デッキに上下方向に沿って移動可能に配設され、前記デッキが前記収納位置から前記補充位置にスライドする場合に、前記フィルタ部材の表面に摺接するブラシ部材を備えたことを特徴とする。
【００１３】
また本発明は、上記ショーケースにおいて、前記ブラシ部材は、ブラシ取付部材に取り付けられており、該ブラシ取付部材が前記デッキに上下方向に沿って移動可能に支持されていることを特徴とする。
【００１４】
また本発明は、上記ショーケースにおいて、前記ブラシ取付部材は、自身に設けられた段付きネジが前記デッキに形成された長孔を相対的に変位可能に挿通することにより該デッキに上下方向に沿って移動可能に支持されていることを特徴とする。
【００１５】
また本発明は、上記ショーケースにおいて、前記デッキは、前記ブラシ部材が前記段付きネジの中心軸回りに後方に向けて回動することを規制する規制部材を備えたことを特徴とする。
【００１６】
また本発明は、上記ショーケースにおいて、前記ブラシ部材は、前記デッキが前記収納位置に配置される場合、前記フィルタ部材の後端部分に接していることを特徴とする。
【発明の効果】
【００１７】
本発明によれば、デッキが収納位置から補充位置にスライドする場合に、フィルタ部材の表面に摺接するブラシ部材が、デッキに上下方向に沿って移動可能に配設されているので、ブラシ部材を高い組立精度でデッキに配設させる必要がない。しかも、デッキに載置される商品の総重量によりデッキが変形した場合や、使用頻度に応じてブラシ部材が変形した場合でも、ブラシ部材の自重によりフィルタ部材に接するので、フィルタ部材に対する押し付け力を安定させることができ、結果的に、フィルタ部材に付着した塵埃物の除去を行うことができる。よって、フィルタ部材を良好に清掃することができるという効果を奏する。
【図面の簡単な説明】
【００１８】
【図１】図１は、本発明の実施の形態であるショーケースを模式的に示す断面側面図である。
【図２】図２は、図１に示したデッキ及びその周辺構造を示す斜視図である。
【図３】図３は、図２に示したデッキ及びその周辺構造の縦断面図である。
【図４】図４は、図２に示したデッキ及びその周辺構造の平面図である。
【図５】図５は、図１に示したショーケースにおいて、デッキが補充位置までスライドした状態を模式的に示す断面側面図である。
【図６】図６は、図２〜図４に示したブラシ支持部材の分解斜視図である。
【図７】図７は、図６に示したブラシ取付部材の斜視図である。
【図８】図８は、デッキが収納位置に配置される場合の、ブラシ部材とフィルタ部材との位置関係を示す断面図である。
【図９】図９は、デッキが収納位置から補充位置までスライドする場合のブラシ部材の動作を示す断面図である。
【図１０】図１０は、デッキが補充位置から収納位置までスライドする場合のブラシ部材の動作を示す断面図である。
【発明を実施するための形態】
【００１９】
以下に添付図面を参照して、本発明に係るショーケースの好適な実施の形態について詳細に説明する。
【００２０】
図１は、本発明の実施の形態であるショーケースを模式的に示す断面側面図である。ここで例示するショーケースは、例えばスーパーマーケットやコンビニエンスストア等の店舗において商品を収容するものである。
【００２１】
このショーケースのケース本体１には、底面部１Ａ、後面部１Ｂ及び天面部１Ｃが設けてあり、これら底面部１Ａ、後面部１Ｂ及び天面部１Ｃによって囲まれる部分に前面及び両側面が開口した商品収容域２が構成してある。
【００２２】
上記ケース本体１には、上記商品収容域２と区画される態様で、通風路３が設けてある。通風路３は、底面部１Ａ、後面部１Ｂ及び天面部１Ｃの内部に形成されており、下側通風ダクト３ａ、後側通風ダクト３ｂ及び上側通風ダクト３ｃを備えている。
【００２３】
下側通風ダクト３ａは、底面部１Ａにおいて、商品収容域２の底面を構成する底面板４ａよりも下方となる部分に構成してある。底面板４ａの前端部分には、左右方向に沿って延在する吸込口５が形成してある。
【００２４】
後側通風ダクト３ｂは、後面部１Ｂにおいて、商品収容域２の背面を構成する背面板４ｂよりも後方となる部分に構成してある。この後側通風ダクト３ｂは、下端部分が下側通風ダクト３ａの後端部分と連通している。
【００２５】
上側通風ダクト３ｃは、天面部１Ｃにおいて、商品収容域２の天面を構成する天面板４ｃよりも上方となる部分に構成してある。天面板４ｃの前端部分には、左右方向に沿って延在する吹出口６が形成してある。
【００２６】
上記通風路３の内部には、蒸発器７や送風ファン８が設置してある。蒸発器７は、図示せぬコンデンシングユニットとともに冷凍サイクルを構成し、通風路３を通過する空気との間において熱交換を行うものである。
【００２７】
このショーケースでは、コンデンシングユニット及び送風ファン８を駆動すれば、蒸発器７を通過した空気が通風路３を通じて商品収容域２に循環供給され、商品収容域２が所望の冷蔵温度に維持されることになる。
【００２８】
ところで、上記ショーケースでは、吸込口５を被覆する態様でフィルタ部材１０が設けてある。フィルタ部材１０は、微細な孔が多数形成されたフィルタ（図示せず）を有しており、吸込口５に吸い込まれる空気に含まれる塵埃物を除去するためのものである。
【００２９】
商品収容域２には、上下に沿って複数段（図示の例では６段）の商品載置棚１１が設けてある。商品載置棚１１は、背面板４ｂの左右両側部に設けられた図示せぬ棚支柱に取り付けてあり、商品を載置して陳列させるものである。また商品収容域２には、最下段の商品載置棚１１よりも下方側であって底面板４ａの上方側に、すなわち底部近傍に、デッキ２０が設けてある。
【００３０】
デッキ２０は、図２及び図３に示すように、デッキ側壁部材２１及びデッキ載置板２２を備えて構成してある。
【００３１】
デッキ側壁部材２１は、図４にも示すように左右一対のものであり、互いに対称となるように構成されたものである。これらデッキ側壁部材２１は、それぞれ前後方向が長手方向となる長尺状部材である。以下においては便宜上、２つのデッキ側壁部材２１において互いに近接した方を内側と称し、互いに離反した方向を外側と称して説明する。
【００３２】
デッキ載置板２２は、これらデッキ側壁部材２１間に架け渡されるように設置されており、上面が商品を載置する載置面を構成している。
【００３３】
このようなデッキ２０は、デッキ側壁部材２１が、棚支柱の下端部に係合された左右一対のデッキブラケット部材１２の内側にデッキスライダ２３を介して取り付けられており、図１に示した最も後方の収納位置と、図５に示した最も前方の補充位置との間でスライド可能なものである。尚、デッキ側壁部材２１の前端部は、デッキ載置板２２の前端縁よりも前方に突出している。またデッキ側壁部材２１の前端部は、デッキ２０が収納位置に配置される場合も、デッキブラケット部材１２の前端縁よりも前方に突出している。
【００３４】
上記デッキ側壁部材２１の前端部の内側には、リターングリル２４及びブラシ支持部材２５が設けてある。
【００３５】
リターングリル２４は、例えば板金等を加工して構成された平板状のもので、左右方向が長手方向となる長尺状部材である。このリターングリル２４は、デッキ側壁部材２１の前端部どうしを跨る態様で設けてあり、多数の通風孔部２４ａが形成してある。かかるリターングリル２４は、デッキ２０が収納位置に配置される場合に、吸込口５の上方に位置する。つまり、デッキ２０は、収納位置に配置される場合に、通風孔部２４ａが吸込口５に連通している。
【００３６】
ブラシ支持部材２５は、図６にも示すように、例えば板金等を加工して形成したものであり、左右方向が長手方向となる長尺状部材である。このブラシ支持部材２５は、支持基部２５１、支持前部２５２、支持側部２５３及び支持後部（規制部材）２５４を備えて構成してある。
【００３７】
支持基部２５１は、平板状の水平延在部分である。支持前部２５２は、支持基部２５１の前端縁部より下方に向けて延在する部分である。支持側部２５３は、支持基部２５１の左端縁部及び右端縁部より下方に向けて延在する部分であり、左右一対となるものである。これら支持側部２５３は、前端側壁部分２５３ａと後端側壁部分２５３ｂとに分割されており、前端側壁部分２５３ａの延在端部が外側に屈曲されて構成してある。該支持側部２５３の後端側壁部分２５３ｂには、上下方向が長手方向となる長孔形状の支持孔２５５が形成してある。支持後部２５４は、支持基部２５１の後端縁部より下方に向けて延在する部分であり、支持前部２５２に対向している。
【００３８】
このようなブラシ支持部材２５は、支持側部２５３の前端側壁部分２５３ａの延在端部がデッキ側壁部材２１の前端部に取付ピン２６等により取り付けられることにより、リターングリル２４の後方側で、デッキ側壁部材２１間に架設してある。
【００３９】
かかるブラシ支持部材２５には、ブラシ取付部材３０が支持されている。ブラシ取付部材３０は、図７にも示すように、例えば板金等を加工して形成したものであり、左右方向が長手方向となる長尺状部材である。このブラシ取付部材３０は、取付基部３１、取付前部３２、取付側部３３及び取付後部３４を備えて構成してある。
【００４０】
取付基部３１は、平板状の水平延在部分である。取付前部３２は、取付基部３１の前端縁部より上方に向けて延在する部分である。取付側部３３は、取付基部３１の左端縁部及び右端縁部より上方に向けて延在する部分であり、左右一対となるものである。これら取付側部３３には、取付孔３３１が形成してある。取付後部３４は、取付基部３１の後端縁部より上方に向けて延在する部分であり、取付前部３２に対向している。
【００４１】
このようなブラシ取付部材３０には、ブラシ部材４０が取り付けてある。ブラシ部材４０は、ブラシ毛４１と、このブラシ毛４１を下方に突出する態様で支持するブラシ本体４２とを備えており、ブラシ本体４２が取付前部３２に取り付けられている。
【００４２】
そして、ブラシ取付部材３０は、図６に示したように、支持孔２５５を外側から貫通する段付きネジ３５が取付孔３３１を挿通して螺合されることで、ブラシ支持部材２５に支持されている。つまり、ブラシ取付部材３０は、自身に設けられた段付きネジ３５が支持孔２５５を相対的に変位可能に挿通することにより該ブラシ支持部材２５に上下方向に沿って移動可能に支持されている。この結果、ブラシ部材４０は、デッキ２０に上下方向に沿って移動可能に支持されており、ブラシ部材４０自身の重量だけでなく、ブラシ取付部材３０の重量も作用してフィルタ部材１０に接することになる。
【００４３】
以上のような構成を有するデッキ２０においては、収納位置に配置される場合、図８に示すように、ブラシ部材４０は、ブラシ毛４１の先端部分がフィルタ部材１０の後端部分に接している。
【００４４】
このような状態においては、コンデンシングユニット及び送風ファン８の駆動により、通風孔部２４ａを通過する空気に含まれる塵埃物がフィルタ部材１０に付着され、吸込口５より吸い込まれる空気から塵埃物が除去される。
【００４５】
そして、デッキ２０に対する商品補充を行うために、該デッキ２０が収納位置から補充位置まで前方に向けてスライドする場合、ブラシ部材４０も前方に向けてスライドする。この際、図９に示すように、ブラシ部材４０がフィルタ部材１０の表面に摺接し、フィルタ部材１０に付着した塵埃物を取り除くことになる。
【００４６】
ところで、ブラシ部材４０が取り付けられたブラシ取付部材３０は、段付きネジ３５が支持孔２５５を挿通してブラシ支持部材２５に支持されているため、デッキ２０が収納位置から補充位置に向けてスライドする際、ブラシ毛４１とフィルタ部材１０との摩擦力等により段付きネジ３５の中心軸回りに後方に向けて回動することになるが、支持後部２５４に当接することにより、かかる回動が規制され、ブラシ部材４０がフィルタ部材１０に良好に摺接することになる。
【００４７】
その後、商品補充が完了したデッキ２０が補充位置から収納位置まで後方に向けてスライドする場合、ブラシ部材４０も後方に向けてスライドする。この場合、ブラシ部材４０は、図１０に示すように、段付きネジ３５の中心軸回りに前方に回動することが許容され、フィルタ部材１０に対する摩擦力を低減させることができる。
【００４８】
以上説明したように、本発明の実施の形態であるショーケースによれば、デッキ２０が収納位置から補充位置にスライドする場合に、フィルタ部材１０の表面に摺接するブラシ部材４０が、デッキ２０に上下方向に沿って移動可能に配設されているので、ブラシ部材４０を高い組立精度でデッキ２０に配設させる必要がない。しかも、デッキ２０に載置される商品の総重量によりデッキ２０が変形した場合や、使用頻度に応じてブラシ部材４０（特にブラシ毛４１）が変形した場合でも、ブラシ部材４０の自重によりフィルタ部材１０に接するので、フィルタ部材１０に対する押し付け力を安定させることができ、結果的に、フィルタ部材１０に付着した塵埃物の除去を行うことができる。よって、フィルタ部材１０を良好に清掃することができる。
【００４９】
特に、ブラシ部材４０がブラシ取付部材３０に取り付けられており、該ブラシ取付部材３０が、自身に設けられた段付きネジ３５がブラシ支持部材２５に形成された支持孔２５５を相対的に変位可能に挿通することにより該デッキ２０に上下方向に沿って移動可能に支持されているので、ブラシ部材４０だけでなくブラシ取付部材３０の重量も作用してフィルタ部材１０に対する押し付け力を向上させることができ、フィルタ部材１０を良好に清掃することができる。
【００５０】
上記ショーケースによれば、ブラシ支持部材２５の支持後部２５４が、デッキ２０が収納位置から補充位置にスライドする場合に、ブラシ取付部材３０に当接してブラシ部材４０が段付きネジ３５の中心軸回りに後方に向けて回動することを規制するので、ブラシ部材４０がフィルタ部材１０に良好に摺接し、これによってもフィルタ部材１０を良好に清掃することができる。
【００５１】
上記ショーケースによれば、ブラシ部材４０は、デッキ２０が収納位置に配置される場合、フィルタ部材１０の後端部分に接しているので、塵埃物が底面板４ａ等に堆積してケース本体１の内部に残留し続けることを抑制することができる。
【００５２】
以上、本発明の好適な実施の形態について説明したが、本発明はこれに限定されるものではなく、種々の変更を行うことができる。
【００５３】
上述した実施の形態では、ブラシ部材４０がブラシ取付部材３０に取り付けられていたが、本発明においては、ブラシ部材がデッキに上下方向に沿って移動可能に直接設けられていてもよいし、デッキに設けられたデッキ支持部材に上下方向に沿って移動可能に直接設けられていてもよい。
【符号の説明】
【００５４】
１  ケース本体
１Ａ  底面部
１Ｂ  後面部
１Ｃ  天面部
２  商品収容域
３  通風路
５  吸込口
６  吹出口
７  蒸発器
８  送風ファン
１０  フィルタ部材
１１  商品載置棚
１２  デッキブラケット部材
２０  デッキ
２１  デッキ側壁部材
２２  デッキ載置板
２４  リターングリル
２４ａ  通風孔部
２５  ブラシ支持部材
２５１  支持基部
２５２  支持前部
２５３  支持側部
２５４  支持後部
３０  ブラシ取付部材
３１  取付基部
３２  取付前部
３３  取付側部
３３１  取付孔
３４  取付後部
３５  段付きネジ
４０  ブラシ部材
４１  ブラシ毛
４２  ブラシ本体
【図１】
2020124403.tif 000003
【図２】
2020124403.tif 000004
【図３】
2020124403.tif 000005
【図４】
2020124403.tif 000006
【図５】
2020124403.tif 000007
【図６】
2020124403.tif 000008
【図７】
2020124403.tif 000009
【図８】
2020124403.tif 000010
【図９】
2020124403.tif 000011
【図１０】
2020124403.tif 000012